(57)【要約】【課題】清潔で且つコスト安で、使い捨てが可能な小水排泄容器の提供【解決手段】１枚の防水用厚紙を切り抜き容器状に組み立てて、その接合個所を漏水防止状態に密着して形成された小水排泄用紙容器本体１０がある。この容器本体１０の上部又はその上部付近に開口部１１がある。１枚の防水用厚紙を切り抜き筒状に組み立てて、その接合個所を漏水防止状態に密着して形成され排泄小水放尿紙筒２０がある。この放尿かみつつ２０は、上記の開口部１１に漏水防止状態に密着接合されている。【選択図】図１
2007097994.tif 000002
【特許請求の範囲】
【請求項１】
１枚の防水用厚紙を切り抜き容器状に組み立ててその接合個所を漏水防止状態に密着して形成されたものであってその上部又はその上部付近に開口部を有する小水排泄用紙容器本体、該小水排泄用紙容器本体の開口部に漏水防止状態に密着接合されるものであって１枚の防水用厚紙を切り抜き筒状に組み立ててその接合個所を漏水防止状態に密着して形成された排泄小水放尿紙筒、より構成されることを特徴とした病床等に使用の厚紙製小水排泄用容器。
【請求項２】
１枚の防水用厚紙を切り抜き容器状に組み立てられてその接合個所を漏水防止状態に密着して形成されるものであってその上部又はその上部付近に開口部を有するように形状づけられその接合個所に密着漏水防止接合用ののりしろが設けられた小水排泄用紙容器本体の本体型紙、該小水排泄用紙容器本体の本体型紙の開口部に漏水防止状態に密着接合されるものであって１枚の防水用厚紙を切り抜き筒状に組み立てられてその接合個所を漏水防止状態に密着して形成されるように形状づけられその接合個所に密着漏水防止接合用ののりしろが設けられた排泄小水放尿紙筒の紙筒型紙、より構成されることを特徴とした病床等に使用の厚紙製小水排泄用容器の型紙。
【発明の詳細な説明】
【技術分野】
【０００１】
本発明は、広くは医療用具に関するものであり、特に病床等において使用される排泄用の医療用具に関するものである。就中、紙製の使い捨てが可能な小水排泄用容器に関するものである。
【背景技術】
【０００２】
従来、俗にシー瓶と呼ばれる小水排泄用容器は、そのほとんどが瓶製のものであった。これに対して、プラスチック製のものも登場した。また、パルプモールド製のものもある。
【特許文献１】特開昭４８−４１６３５
【特許文献２】特開２００２−１０２１１１
【特許文献３】実開昭５４−１００４９９
【発明の開示】
【発明が解決しようとする課題】
【０００３】
しかして、本願発明が解決しようとする問題点は、従来のガラス製のものは使用するにしたがって尿酸などの汚れがそのガラスにこびりつき不潔になる。また、その容器は通常１度程度の病気に使用するものであるから、その病気が治ればその再度の使用ということはそれ程あるものではない。それ故に、その容器は、邪魔になって捨ててしまい不経済である。特に、その瓶のガラスを他の瓶容器に使用することはできないので、リサイクルすることは不可能である。そして、病院でのその容器の使用は、通常は他の患者が使用したものを使用するのであるから、これも不快感が生じてしまう。一方、プラスチック製のものは、その廃棄物の処理による環境問題が生じる。また、パルプモールド製のものはその型代が大変に高くて、これも大きな問題となる。
【課題を解決するための手段】
【０００４】
本発明にかかる病床等に使用の厚紙製小水排泄用容器と厚紙製小水排泄用容器の型紙は、以上の課題を解決するために、その小水排泄用容器を使い捨てが可能な紙製のものにした。
【０００５】
以下に、本発明にかかる病床等に使用の厚紙製小水排泄用容器と厚紙製小水排泄用容器の型紙の具体的な構成を詳細に記載する。最初に、本発明の請求項１に記載した発明の病床等に使用の厚紙製小水排泄用容器の構成を説明する。この発明は、まず、小水排泄用紙容器本体がある。この小水排泄用紙容器本体は、１枚の防水用厚紙を切り抜き容器状に組み立てて、その接合個所を漏水防止状態に密着して形成されたものであって、その上部又はその上部付近に開口部を有するものである。そして、排泄小水放尿紙筒がある。この排泄小水放尿紙筒は、上記の小水排泄用紙容器本体の開口部に漏水防止状態に密着接合されるものであって、１枚の防水用厚紙を切り抜き筒状に組み立てて、その接合個所を漏水防止状態に密着して形成されたものである。
【０００６】
つぎに、本発明にかかる病床等に使用の厚紙製小水排泄用容器と厚紙製小水排泄用容器の型紙の請求項２に記載した発明の病床等に使用の厚紙製小水排泄用容器の型紙の構成を説明する。この発明は、まず、小水排泄用紙容器本体の本体型紙がある。この小水排泄用紙容器本体の本体型紙は、１枚の防水用厚紙を切り抜き容器状に組み立てられて、その接合個所を漏水防止状態に密着して形成されるものであって、その上部又はその上部付近に開口部を有するように形状づけられ、その接合個所に密着漏水防止接合用ののりしろが設けられたものである。
【０００７】
そして、排泄小水放尿紙筒の紙筒型紙がある。この排泄小水放尿紙筒の紙筒型紙は、上記の小水排泄用紙容器本体の本体型紙の開口部に漏水防止状態に密着接合されるものであって、１枚の防水用厚紙を切り抜き筒状に組み立てられて、その接合個所を漏水防止状態に密着して形成されるように形状づけられ、その接合個所に密着漏水防止接合用ののりしろが設けられたものである。
【発明の効果】
【０００８】
本発明にかかる病床等に使用の厚紙製小水排泄用容器と厚紙製小水排泄用容器の型紙は、以上のごとくになしたゆえに、上記の課題を解決して以下のごとき多大な効果が生じた。すなわち、常に清潔で、ローコストであり、ごみの問題も瓶製やプラスチック製に比して大変によいものとなった。
【発明を実施するための最良の形態】
【０００９】
小水排泄用容器を防水厚紙を切り抜き折り曲げて接合面を密着シールしたことにより、その制作が容易になると言う利点がある。
【実施例１】
【００１０】
しかして、本発明にかかる病床等に使用の厚紙製小水排泄用容器と厚紙製小水排泄用容器の型紙をその具体的な実施例を用いて添付の図面と共に詳細に述べる。この発明は図１に示すその右側面断面図および図２〜図４のように、まず、小水排泄用紙容器本体１０がある。この小水排泄用紙容器本体１０は、厚さ 0.5ミリ程度の１枚の防水用厚紙を切り抜き容器状に組み立てて、その接合個所を漏水防止状態に密着して形成されたものである。この防水用厚紙は、厚紙にポリエチレンやポリエステル等の薄膜の全面貼付やコーティングなどでの防水処理をしたものから成っている。そして、この小水排泄用紙容器本体１０の上部（具体的には、後述する上部容器面１７の一端）又はその上部付近（具体的には、後述する前部容器面１９の上部）に開口部１１を有するものである。そして、排泄小水放尿紙筒２０がある。この排泄小水放尿紙筒２０は、上記の小水排泄用紙容器本体１０の開口部１１に漏水防止状態に密着接合されるものであって、厚さ 0.5ミリ程度の１枚の防水用厚紙を切り抜き筒状に組み立てて、その接合個所を漏水防止状態に密着して形成されたものである。防水用厚紙も、厚紙にポリエチレンやポリエステル等の薄膜の全面貼付やコーティングなどでの防水処理をしたものから成っている。最後に、取っ手３０がある。この取っ手３０は、１枚の厚紙を２重にして、上記の小水排泄用紙容器本体１０の上部に接着されたものである。なお、上記および後述の密着漏水防止接合は、ポリエチレン等の熱可塑性の防水性のものを厚紙の表面にコーティングなどをしたものにおいては、そのままの状態であるいは必要により同質の接着剤をその接合個所に塗布して、加熱シールの接合により容易に可能である。
【実施例２】
【００１１】
つぎに、本発明にかかる病床等に使用の厚紙製小水排泄用容器と厚紙製小水排泄用容器の型紙の請求項２に記載した発明の病床等に使用の厚紙製小水排泄用容器の型紙の構成を説明する。この発明は、まず、小水排泄用紙容器本体１０の本体型紙１０ａがある。この小水排泄用紙容器本体１０の本体型紙１０ａは、厚さ 0.5ミリ程度の１枚の防水用厚紙を切り抜き容器状に組み立てられて、その接合個所を漏水防止状態に密着して形成されるものであって、その上部又はその上部付近に開口部を有するように形状づけられ、その接合個所に密着漏水防止接合用ののりしろが設けられたものである。この防水用厚紙は、厚紙にポリエチレンやポリエステル等の薄膜の全面貼付やコーティングなどでの防水処理をしたものから成っている。
【００１２】
この小水排泄用紙容器本体１０の本体型紙１０ａは、具体的にはその小水排泄用紙容器本体１０の展開図である図５のようになっている。なお、この図５は用紙のサイズの都合上、横書きのものをその開口部１１を上にした縦長においた状態に描写してある。しかして、まず、この小水排泄用紙容器本体１０の底部容器面１２は、その型紙１０ａではその真ん中の一番太い横長の部分で表されている。つぎに、その右側面下部容器面１３は、その底部容器面１２の上側に接続して位置している。そして、その右側面上部容器面１４は、その右側面下部容器面１３の上側に接続して位置している。
【００１３】
一方、その左側面下部容器面１５は、その底部容器面１２の下側に接続して位置している。そして、その左側面上部容器面１６は、その左側面下部容器面１５の下側に接続して位置している。さらに、その上部容器面１７は、その左側面上部容器面１６の下側に接続して位置している。最後に、この上部容器面１７に密着接続する側部ののりしろ１８が、上記の右側面上部容器面１４の上側に接続して位置している。
【００１４】
さらに、この小水排泄用紙容器本体１０の底部容器面１２の右側には、後部容器面１８が接続して位置している。そして、前部容器面１９が上記のこの小水排泄用紙容器本体１０の底部容器面１２の左側に接続し定置している。最後に、各面１４と１６、１７、１９には、それぞれののりしろ１４ａ、１４ｂ、１６ａ、１７ａ、１７ｂ、１９ａ、１９ｂ、１９ｃがそれぞれに接続して位置している。
【００１５】
そして、排泄小水放尿紙筒２０の紙筒型紙２０ａ（図６）がある。この排泄小水放尿紙筒２０の紙筒型紙２０ａは、上記の小水排泄用紙容器本体１０の本体型紙１０ａの開口部１１に漏水防止状態に密着接合されるものである。そして、これは、厚さ 0.5ミリ程度の１枚の防水用厚紙を切り抜き筒状に組み立てられて、その接合個所を漏水防止状態に密着して形成されるように形状づけられいる。この防水用厚紙も、厚紙にポリエチレンやポリエステル等の薄膜の全面貼付やコーティングなどでの防水処理をしたものから成っている。さらにこれは、その接合個所に、密着漏水防止接合用ののりしろが設けられたものである。これは、具体的には図６のようになっている。しかして、まずこの排泄小水放尿等２０の底部筒面２２は、その型紙１０ａではその真ん中の一番太い横長の部分で表されている。つぎに、その右側面下部筒面２３は、その底部筒面２２の上側に接続して位置している。そして、その右側面上部筒面２４は、その右側面下部筒面２３の上側に接続して位置している。
【００１６】
一方、その左側面下部筒面２５は、その底部筒面２２の下側に接続して位置している。そして、その左側面上部筒面２６は、その左側面下部筒面２５の下側に接続して位置している。さらに、その上部筒面２７は、その左側面上部筒面２６の下側に接続して位置している。最後に、この上部筒面２７に密着接続する筒部ののりしろ２１が、上記の右側面上部筒面２４の上側に接続して位置している。
【００１７】
最後に、取っ手３０がある。この取っ手３０の取っ手型紙３１（図７）は、１枚の厚紙を２重にして、上記の小水排泄用紙容器本体１０の上部に接着されるようにしたものであるが、最初から倍の厚さの紙を使用してもよい。この取っ手３０は、具体的には、図７のようになっていて、その取っ手型紙３０ａは、上記の小水排泄用紙容器本体１０に接着される容器本体接着部３１とその容器本体接着部３１から上下に伸びる取っ手部３２と３３から成っている。
【００１８】
しかして、図８は図５に示した型紙１０ａと同一のものであって、この展開図をその小水排泄用紙容器本体１０に組み立てるときの折り曲げる方向を折り紙の手法に従って表示したものである。それゆえに、図６中の点線は谷線を示し、一点鎖線は山線を示したものである。
【実施例３】
【００１９】
以上の実施例ではそのデザインの優美さを表すために複雑な形状にしたが、これはその小水排泄用容器本体を、牛乳パックなどの飲料パックのように四角筒の形状にしてもよい。この場合、図９に示すように、牛乳パックなどの飲料パックは立てて置くので、その底面は平らでなければならない。しかし、本願発明の厚紙製小水排泄用容器は寝かして置くので、その小水排泄用容器本体１０は、四角筒形状の両端共に牛乳パックの注ぎ口のように一直線シール構成のものでよい。そして、その排泄小水放尿紙筒２０も四角筒の形状にして、その小水排泄用容器本体１０の上部容器面１７の一端部分に斜めに設けるようにしてもよい。これによって、その完成品の販売のみでなく、その小水排泄用容器本体１０もその排泄小水放尿紙筒２０もそれぞれに容器型紙１０ａと紙筒型紙２０ａとして市販して、これらを購入した者が市販の工作用の加温シール器具で容易に組み立てて使用することもできるようになる。もちろん、その使用者本人でなくても、病院の技師とか薬局の者がその組み立てをすることも可能で、その完成品の販売等の方法も考えられる。また、その小水排泄用容器本体１０へのその排泄小水放尿紙筒２０の接合は漏水の危険性はそれ程ない故に、通常の密着シール程度ですみ、組み立てが簡単になる。
【００２０】
なお、上記の密着漏水防止接合個所が厚紙が３面で角を成す個所は弱く漏水しやすいので、乾燥時に可撓性を保つ接着剤を塗布して補強するとよい。
【産業上の利用可能性】
【００２１】
環境問題を解決し、衛生的でコスト安の医療用具分野の紙容器としての利用がはかれる。
【図面の簡単な説明】
【００２２】
【図１】本発明にかかる病床等に使用の厚紙製小水排泄用容器の一実施例の右側面断面図を示したものである。
【図２】図１のものの右側面図である。
【図３】図１のものの正面図を示したものである。
【図４】図１のものの背面図である。
【図５】図１のものの小水排泄用紙容器本体の展開図を示したものである。
【図６】図１のものの排泄小水放尿紙筒の展開図である。
【図７】図１のものの取っ手の展開図を示したものである。
【図８】図５のものの折り紙様式の洋式折り曲げ線入り展開図である。
【図９】本発明にかかる病床等に使用の厚紙製小水排泄用容器の別の実施例の右側面断面図を示したものである。
【符号の説明】
【００２３】
１０  小水排泄用紙容器本体
10ａ  本体型紙
１１  開口部
１２  底部容器面
１３  右側面下部容器面
１４  右側面上部容器面
14ａ  のりしろ
14ｂ  のりしろ
１５  左側面下部容器面
１６  左側面上部容器面
16ａ  のりしろ
１７  上部容器面
17ａ  のりしろ
17ｂ  のりしろ
１８  後部容器面
１９  前部容器面
19ａ  のりしろ
19ｂ  のりしろ
19ｃ  のりしろ
２０  排泄小水放尿紙筒
20ａ  紙筒型紙
２１  筒部のりしろ
２２  底部筒面
２３  右側面下部筒面
２４  右側面上部筒面
２５  左側面下部筒面
２６  左側面上部筒面
２７  上部筒面
３０  取っ手
30ａ  取っ手型紙
【図１】
2007097994.tif 000003
【図２】
2007097994.tif 000004
【図３】
2007097994.tif 000005
【図４】
2007097994.tif 000006
【図５】
2007097994.tif 000007
【図６】
2007097994.tif 000008
【図７】
2007097994.tif 000009
【図８】
2007097994.tif 000010
【図９】
2007097994.tif 000011
【手続補正書】
【提出日】平成17年10月17日(2005.10.17)
【手続補正１】
【補正対象書類名】図面
【補正対象項目名】図３
【補正方法】変更
【補正の内容】
【図３】
2007097994.tif 000012